(57)【要約】【課題】異なる２面を表示面とする電気光学装置及び電子機器を薄く形成できるようにする。【解決手段】第１面Ｄ１に像を表示する第１表示系１１ａと、第１面Ｄ１と異なる方向を向く第２面Ｄ２に像を表示する第２表示系１１ｂとを有する液晶装置１、すなわち電気光学装置である。第１表示系１１ａは、透光性を有する基板２と、その基板２の第１面Ｄ１側に形成された第１の像形成装置とを有する。また、第２表示系１１ｂは、基板２と、基板２の第２面Ｄ２側に形成された第２の像形成装置とを有する。【選択図】　　　　図３
2004109814.tif 000002
【特許請求の範囲】
【請求項１】
第１面及び該第１面と異なる方向を向く第２面の両面に像を表示する電気光学装置であって、
透光性を有する基板と、
該基板の前記第１面側に形成された第１表示系と、
前記基板の前記第２面側に形成された第２表示系と
を有することを特徴とする電気光学装置。
【請求項２】
請求項１において、前記第１面と前記第２面は互いに略１８０°の角度間隔を隔てた略対称方向を向くことを特徴とする電気光学装置。
【請求項３】
請求項１又は請求項２において、
前記第１表示系及び／又は前記第２表示系は、
前記基板上に設けられた電気光学物質層と、
前記電気光学物質層に印加される電界を制御する制御手段と
を有することを特徴とする電気光学装置。
【請求項４】
請求項３において、
前記電気光学物質層に光を供給する光供給手段を更に具備し、
前記光供給手段は、
前記基板の第１面側に設けられた第１半透過反射膜と、
前記基板の第２面側に設けられた第２半透過反射膜と、
前記第１面側に設けられた照明装置とを有し、
前記第１半透過反射膜の透過光路と前記第２半透過反射膜の透過光路は少なくとも部分的に重なっており、
前記照明装置は、面状の光を前記第１表示系へ向けて出射でき、さらに第１表示系から供給された光を透過できる
ことを特徴とする電気光学装置。
【請求項５】
請求項１から請求項４の少なくともいずれか１つにおいて、
前記第１表示系及び／又は前記第２表示系は、
前記基板上に設けられるカラーフィルタと、
前記基板に対向して配置された対向基板と、
複数の表示ドットの個々に対応して前記対向基板上に設けられた複数のドット状電極と、
該複数のドット状電極の個々に接続されたスイッチング素子と
を有することを特徴とする電気光学装置。
【請求項６】
第１面及び該第１面と異なる方向を向く第２面の両面に像を表示する電気光学装置に用いられる基板であって、
前記第１面に像を表示するための第１表示系の一部又は全部を、前記第１面に対応する面に有し、さらに、
前記第２面に像を表示するための第２表示系の一部又は全部を、前記第２面に対応する面に有する
ことを特徴とする基板。
【請求項７】
請求項６において、前記第１面と前記第２面は互いに略１８０°の角度間隔を隔てた略対称方向を向くことを特徴とする基板。
【請求項８】
請求項１から請求項５の少なくともいずれか１つに記載の電気光学装置と、該電気光学装置の動作を制御する制御手段とを有することを特徴とする電子機器。
【発明の詳細な説明】
【０００１】
【発明の属する技術分野】
本発明は、液晶等といった電気光学物質を用いて像を表示する電気光学装置、その電気光学装置に用いられる基板、及びその電気光学装置を用いて構成される電子機器に関する。
【０００２】
【従来の技術】
携帯電話機、携帯情報端末機等といった電子機器は、液晶装置、ＥＬ装置等といった電気光学装置を、例えば表示装置として含むことが多い。電気光学装置は、液晶やＥＬ等を電気光学物質として含むものであり、電気光学物質に印加される電界の変化によってその電気光学物質の特性が変化することを利用して像を表示する。
【０００３】
例えば、電気光学装置として液晶装置を考えれば、電気光学物質としての液晶の層に印加される電圧を、マトリクス状に配列された複数の表示ドットごとに制御することにより、液晶層内の液晶分子の配向を複数の表示ドットごとに制御する。この配向制御により、液晶層に供給される光を表示ドットごとに変調し、さらにこの変調された光を偏光板等といった光学要素に供給することにより、像を表示する。
【０００４】
ところで、従来の携帯電話機等といった電子機器では、表示部が１ヶ所だけである場合が多かった。しかしながら、最近では、電子機器の異なる２面、例えば表裏の２面に表示部が設けられることが多くなっている。この場合、従来は、２つの電気光学装置をそれらの裏面を互いに接合して重ね合わせていた（例えば、特許文献１参照）。
【０００５】
【特許文献１】
特開２００２−１３３９２７号公報（第３頁、図１）
【０００６】
【発明が解決しようとする課題】
しかしながら、上記のように２つの電気光学装置を重ね合わせる構造では、電気光学装置の全体的な厚さ及び電子機器の全体的な厚さが厚くなり過ぎるという問題があった。
【０００７】
本発明は、上記の問題点に鑑みて成されたものであって、異なる２面を表示面とする電気光学装置及び電子機器を薄く形成できるようにすることを目的とする。
【０００８】
【課題を解決するための手段】
（１）上記の目的を達成するため、本発明に係る電気光学装置は、第１面及び該第１面と異なる方向を向く第２面の両面に像を表示する電気光学装置であって、透光性を有する基板と、該基板の前記第１面側に形成された第１表示系と、前記基板の前記第２面側に形成された第２表示系とを有することを特徴とする。
【０００９】
前記第１表示系は前記第１面に像を表示し、前記第２表示系は前記第２面に像を表示する。第１面と第２面は互いに異なる面であるので、観察者はそれらの異なる面を通して表示を認識できる。また、本発明で第１表示系と第２表示系とがそれぞれ独自に基板を有する構造に比べて、電気光学装置の全体の厚さを非常に薄くできる。
【００１０】
第１表示系及び第２表示系は、透光性の基板上に形成できる表示系であって、像を表示できるものでありさえすれば、その構造は特定のものに限定されない。しかしながら、例えば、▲１▼液晶層内の液晶分子の配向を表示ドットごとに制御しながら、当該液晶層に面状の光を供給するという、いわゆる液晶表示構造や、▲２▼有機ＥＬ（Ｅｌｅｃｔｒｏ　Ｌｕｍｉｎｅｓｃｅｎｃｅ）によって構成した複数の表示ドットを選択的に発光させるという、いわゆる有機ＥＬ構造や、▲３▼気体に発生するプラズマ放電を表示ドットごとに選択的に発生させる構造の、いわゆるプラズマディスプレイ構造等を採用できる。
【００１１】
（２）　上記構成の電気光学装置において、前記第１面と前記第２面は互いに略１８０°の角度間隔を隔てた略対称方向を向くように設定できる。この場合には、第１面と第２面は互いに表裏を向く関係になる。従って、観察者は、電気光学装置の表面と裏面とで表示を認識できる。この構造は、例えば、折り畳み可能なカバーの表裏両面に表示部を設けるようにした構造の携帯電話機に好適に用いることができる。
【００１２】
なお、第１面と第２面が上記のように１８０°の対称位置となるようにするには、例えば、共通基板を平板状に形成することにより、共通基板の第１面に対応する面と第２面に対応する面が互いに平行になるようにすれば良い。仮に、共通基板の第１面に対応する面と第２面に対応する面とを互いに平行でない状態に設定すれば、像を表示するための第１面及び第２面は１８０°で対称な表裏両面では無く、１８０°以外の角度を成す第１面及び第２面とすることもできる。
【００１３】
（３）　上記構成の電気光学装置において、前記第１表示系及び／又は前記第２表示系は、前記共通基板上に設けられた電気光学物質層と、該電気光学物質層に印加される電界を制御する制御手段とを有する構成とすることができる。上記電気光学物質としては、例えば、液晶が考えられる。
【００１４】
（４）　上記構成の電気光学装置は、さらに、前記電気光学物質層に光を供給する光供給手段を有することができる。そして、この光供給手段は、前記基板の第１面側に設けられた第１半透過反射膜と、前記基板の第２面側に設けられた第２半透過反射膜と、前記第１面側に設けられた照明装置とを有することができる。そしてこの場合、前記第１半透過反射膜の透過光路と前記第２半透過反射膜の透過光路は少なくとも部分的に重なるように設けられ、さらに、前記照明装置は、面状の光を前記第１表示系へ向けて出射でき、さらに第１表示系から供給された光を透過できるように構成できる。
【００１５】
なお、上記構成において、半透過反射膜とは、供給された光の一部を反射し、他の一部を透過する機能を有する光学要素である。この機能は、例えば、Ａｌ（アルミニウム）等といった光反射膜に部分的に光透過用の開口を設けたり、そのような光反射膜の膜厚を薄くしたりすることによって形成できる。また、前記照明装置は、第１面側に設けられるので、第１面側に関してはフロントライトとして機能し、一方、第２面側に関してはバックライトとして機能する。
【００１６】
この構成の電気光学装置によれば、太陽光、室内光等といった外部光を用いて第１面及び第２面にて反射型表示を行うことができる。さらに、第１面に関しては照明装置をフロントライトとして用いて反射型表示を行うことができる。さらに、第２面に関しては照明装置をバックライトとして用いて透過型表示を行うことができる。このように、２つの異なった面において表示を行うにあたって照明装置は１つで済むので、電気光学装置の全体の厚さを非常に薄くできる。
【００１７】
ところで、本発明に係る電気光学装置は、半透過反射膜を用いることなく、その半透過反射膜に代えて全反射膜を用いることもできる。この場合には、透過型表示を行うことができなくなり、表示は、専ら、反射型で行われることになる。
（５）　上記構成の電気光学装置において、前記第１表示系及び／又は前記第２表示系は、前記基板上に設けられるカラーフィルタと、前記基板に対向して配置された対向基板と、該対向基板上に前記複数の表示ドットの個々に対応して設けられた複数のドット状電極と、該複数のドット状電極の個々に接続されたスイッチング素子とを有することができる。
【００１８】
この電気光学装置では、共通基板に対向する対向基板が採用される。また、カラーフィルタが用いられるので、カラー像を表示できる。また、スイッチング素子としては、例えば、ＴＦＤ（Ｔｈｉｎ　Ｆｉｌｍ　Ｄｉｏｄｅ）素子等といった２端子型のスイッチング素子や、ＴＦＴ（Ｔｈｉｎ　Ｆｉｌｍ　Ｔｒａｎｓｉｓｔｏｒ）素子等といった３端子型のスイッチング素子等を用いることができる。
【００１９】
（６）　次に、本発明に係る電気光学装置用基板は、第１面及び該第１面と異なる方向を向く第２面の両面に像を表示する電気光学装置に用いられる基板であって、前記第１面に像を表示するための第１表示系の一部又は全部を、前記第１面に対応する面に有し、さらに、前記第２面に像を表示するための第２表示系の一部又は全部を、前記第２面に対応する面に有することを特徴とする。
【００２０】
この発明は、電気光学装置を形成するための基板に関するものであり、特に、第１面及び第２面の両面に像を表示できる方式の電気光学装置を容易に形成できる基板に関するものである。本発明に係る基板においては、第１面に対応する面と第２面に対応する面の両面のそれぞれに、表示系の一部又は全部が形成されているので、この基板を用いれば本発明に係る電気光学装置を簡単に製造することができる。なお、本発明に係る基板において、第１面に対応する面と第２面に対応する面の両面のそれぞれに、表示系の全部を形成した場合、形成された構造は、結果的に、本発明に係る電気光学装置そのものになるかもしれない。
【００２１】
（７）　上記構成の基板において、像が表示される第１面に対応する面と、像が表示される他の面である第２面に対応する面は、互いに略１８０°の角度間隔を隔てた略対称方向を向くように設定できる。この場合には、基板におけるそれら２つの面は互いに略平行になるので、基板は平板形状に形成されることになる。なお、本発明に係る基板は、そのような平板形状に代えて、第１面に対応する面と第２面に対応する面とが平行でない適宜の角度を成すように形成することもできる。
【００２２】
（８）　次に、本発明に係るで電子機器は、以上に記載した構成の電気光学装置と、該電気光学装置の動作を制御する制御手段とを有することを特徴とする。このような電子機器としては、例えば、携帯電話機、携帯情報端末機、コンピュータ、ＰＤＡ（Ｐｅｒｓｏｎａｌ　Ｄｉｇｉｔａｌ　Ａｓｓｉｓｔａｎｔ）、その他の各種機器が考えられる。この電子機器によれば、内蔵する電気光学装置の厚さを非常に薄くできるので、電子機器それ自体の厚さも薄くできる。
【００２３】
【発明の実施の形態】
（電気光学装置及び基板の実施形態）
以下、本発明に係る電気光学装置を液晶装置を例に挙げて説明する。また、本発明に係る基板を、液晶装置に用いられる基板を例に挙げて説明する。
【００２４】
図１は、本発明に係る電気光学装置の一実施形態である液晶装置１及び本発明に係る基板の一実施形態である共通基板２を示している。共通基板２は、例えば透光性ガラスや透光性プラスチックによって形成され、その一方の面（図１の上面）にはシール材３ａによって第１対向基板４ａが貼り合わされている。また、共通基板２の他方の面（図１の下面）にはシール材３ｂによって第２対向基板４ｂが貼り合わされている。シール材３ａ及び３ｂは、例えば、エポキシ系樹脂によって形成され、それらの内部には、共通基板２と第１対向基板４ａとの間及び共通基板２と第２対向基板４ｂとの間における電気的な導通を実現するために、多数の粒子状の導通材が分散状態で含ませられている。
【００２５】
第１対向基板４ａの外側表面には第１偏光板６ａが貼着され、第２対向基板４ｂの外側表面には第２偏光板６ｂが貼着される。また、第１対向基板４ａの外側表面に対向する位置には照明装置７が設けられる。この照明装置７は、ＬＥＤ（Ｌｉｇｈｔ　Ｅｍｉｔｔｉｎｇ　Ｄｉｏｄｅ）等といった点状の発光要素によって形成された光源８と、この光源８から出た光を受け取ってその下面、すなわち第１対向基板４ａに対向する面から面状の光を出す導光体９とを有する。光源８としては、ＬＥＤ等といった点状光源に限られず、冷陰極線管のような線状光源を用いることもできる。
【００２６】
導光体９は、例えば、アクリル樹脂、ポリカーバイト系樹脂、ガラス等によって形成され、さらに、図２に示すように、偏光板６に対して少しの間隔を開けて配置される。この導光体９の第１対向基板４ａに対向する面又はその反対側の面には、必要に応じて、光を外部へ出射させるための立体的な模様が形成される。
図２において、液晶装置１の一方の表面Ｄ１が像を表示するための第１面である。また、他方の表面Ｄ２が像を表示するための第２面である。つまり、液晶装置１は、異なる２つの面で像の表示を行うことができる。なお、本実施形態では、第１面Ｄ１と第２面Ｄ２は互いに略１８０°の角度間隔で隔たった対称な位置関係、すなわち略平行な位置関係、すなわち表裏の位置関係で設けられている。
図２において矢印Ａで示す部分を拡大して詳細に示すと、図３の通りである。図３において、共通基板２の第１面Ｄ１側には第１表示系１１ａが形成される。また、共通基板２の第２面Ｄ２側には第２表示系１１ｂが形成される。本実施形態では、第１表示系１１ａと第２表示系１１ｂは全く同じ構成となっている。
【００２７】
第１表示系１１ａは、共通基板２の表面に形成された樹脂層１２と、その上に積層された反射膜１３と、その上に形成されたカラーフィルタ１４と、その上に積層されたオーバーコート層１６と、その上に形成された複数の対向電極１７と、その上に形成された配向膜１８と、共通基板２に対向する第１対向基板４ａと、第１対向基板４ａの内側表面に形成された複数のドット状電極１９と、その上に形成された配向膜１８と、第１対向基板４ａと共通基板２との間の間隙に充填されて層をなす液晶２１とを有する。符号２９は、共通基板２と第１対向基板４ａとの間の間隙を維持するためのスペーサを示している。また、第１表示系１１ａは、第１対向基板４ａの外側表面に貼着された第１偏光板６ａを有する。
【００２８】
反射膜１３は、光を反射できる物質、例えばＡｌ（アルミニウム）によって形成される。オーバーコート層１６は、アクリル、ポリイミド等といった樹脂膜や、シリコン酸化膜等といった無機膜等によって形成される。対向電極１７は、例えば、ＩＴＯ（Ｉｎｄｉｕｍ　Ｔｉｎ　Ｏｘｉｄｅ）等といった金属酸化物によって形成される。配向膜１８は、例えばポリイミドによって形成され、その配向膜１８に対してラビング処理等といった配向処理が施される。第１対向基板４ａは、透光性ガラスや透光性プラスチックによって形成される。ドット状電極１９は、例えば、ＩＴＯ等といった金属酸化物によって形成される。そして、液晶２１としては、例えば、ＴＮ（Ｔｗｉｓｔｅｄ　Ｎｅｍａｔｉｃ）液晶が用いられる。
【００２９】
図３において、複数のドット状電極１９を矢印Ｂ方向から平面的に見ると、図４に示す通りである。図示のように、個々のドット状電極１９は、正方形又は長方形、すなわち矩形に形成されている。また、複数のドット状電極１９は、図１に示す有効表示領域Ｖ内において縦方向及び横方向にわたってマトリクス状に並べられている。一方、図３において、共通基板２上に形成された複数の対向電極１７の１つは、図３の左右方向にわたって直線状に形成され、この直線状の対向電極１７の複数本が図３の紙面垂直方向に互いに平行に並べられる。
【００３０】
ドット状電極１９と対向電極１７とが図３の矢印Ｂ方向から見て重なる領域は、図４に示すように、表示のための最小単位である表示ドット２２を構成する。これらの表示ドット２２は、図１の有効表示領域Ｖ内で縦方向及び横方向にわたってマトリクス状に並べられる。次に、図３に示したカラーフィルタ１４は、個々の表示ドット２２に対応して、３原色であるＲ（赤）、Ｇ（緑）、Ｂ（青）を１つづつ所定のパターン、例えばストライプパターン、デルタパターン又はモザイクパターンで並べることによって形成されている。なお、Ｒ，Ｇ，Ｂの３原色に代えて、Ｃ（シアン）Ｍ（マゼンタ）、Ｙ（イエロー）の３原色を用いることもできる。また、カラーフィルタ１４の層において表示ドット２２から外れる領域に相当する部分には、Ｒ，Ｇ，Ｂを積層して成る黒色の遮光領域、すなわちブラックマスク２６が格子状に形成されている。
【００３１】
また、反射膜１３及び樹脂層１２には、個々の表示ドット２２に対応して開口１５が形成される。反射方式の表示を行う場合は、反射膜１３によって反射した光を用いて表示を行う。一方、透過方式の表示を行う場合は、開口１５を透過する光を用いて表示を行う。なお、反射膜１３及び樹脂層１２の膜厚を薄くすれば、開口１５を形成することなく、それらの反射膜１３及び樹脂層１２に光を透過させることができる。
【００３２】
図４において、表示ドット２２から外れる領域には、対向電極１７と直角の方向へ延びるように複数のライン配線２３が形成される。各ドット状電極１９は、スイッチング素子２４を介して隣接するライン配線２３に電気的に接続されている。個々のＴＦＤ素子２４は、図５に示すように、第１ＴＦＤ要素２７ａと第２ＴＦＤ要素２７ｂとを直列に接続することによって形成されている。このＴＦＤ素子２４は、例えば、次のようにして形成される。
【００３３】
すなわち、まず、ＴａＷ（タンタルタングステン）によってライン配線２３の第１層２８ａ及びＴＦＤ素子２４の第１金属３１を形成する。次に、陽極酸化処理によってライン配線２３の第２層２８ｂ及びＴＦＤ素子２４の絶縁膜３２を形成する。次に、例えばＣｒ（クロム）によってライン配線２３の第３層２８ｃ及びＴＦＤ素子２４の第２金属３３を形成する。
【００３４】
第１ＴＦＤ要素２７ａの第２金属３３はライン配線２３の第３層２８ｃから延びている。また、第２ＴＦＤ要素２７ｂの第２金属３３の先端に重なるように、ドット状電極１９が形成される。ライン配線２３からドット状電極１９へ向けて電気信号が流れることを考えれば、その電流方向に従って、第１ＴＦＤ要素２７ａでは第２電極３３→絶縁膜３２→第１金属３１の順に電気信号が流れ、一方、第２ＴＦＤ要素２７ｂでは第１金属３１→絶縁膜３２→第２金属３３の順に電気信号が流れる。
【００３５】
つまり、第１ＴＦＤ要素２７ａと第２ＴＦＤ要素２７ｂとの間では電気的に逆向きの一対のＴＦＤ要素が互いに直列に接続されている。このような構造は、一般に、バック・ツー・バック（Ｂａｃｋ−ｔｏ−Ｂａｃｋ）構造と呼ばれており、この構造のＴＦＤ素子は、ＴＦＤ素子を１個のＴＦＤ要素だけによって構成する場合に比べて、安定した特性を得られることが知られている。なお、図において符号３４は、必要に応じて設けられる下地膜を示している。
【００３６】
図３において、共通基板２の第２面Ｄ２側に形成される第２表示系１１ｂは、以上に説明した第１表示系１１ａと全く同様に構成できる。よって、同じ構成要素は同じ符号を付して示すことにして、その説明は省略する。なお、第２面Ｄ２側で共通基板２に対向する第２対向基板は、第１面Ｄ１側で共通基板２に対向する第１対向基板４ａと全く同じ材料によって形成できるが、この第２対向基板は、符号４ｂを用いて示してある。
【００３７】
図１において、第１対向基板４ａは共通基板２の外側へ張り出す張出し部５ａを有する。そして、駆動用ＩＣ３６ｘ及び駆動用ＩＣ３６ｙがその張出し部５ａ上に接合要素、例えば、ＡＣＦ（Ａｎｉｓｏｔｒｏｐｉｃ　Ｃｏｎｄｕｃｔｉｖｅ　Ｆｉｌｍ）３７を用いて実装される。また、第２対向基板４ｂも、同様にして、張出し部５ｂを有し、その上に駆動用ＩＣ３６ｘ及び駆動用ＩＣ３６ｙが実装される。
【００３８】
第１表示系１１ａを見た場合、駆動用ＩＣ３６ｘの出力端子、すなわち出力バンプは、第１対向基板４ａ上に形成されたライン配線２３に直接につながっている。これにより、駆動用ＩＣ３６ｘから出力される信号、例えばデータ信号がライン配線２３及びスイッチング素子２４を介してドット状電極１９へ供給される。一方、駆動用ＩＣ３６ｙの出力端子は、シール材３ａ内に混入された導通材を介して共通基板２上の対向電極１７につながっている。これにより、駆動用ＩＣ３６ｙから出力される信号、例えば走査信号が対向電極１７へ供給される。第２表示系１１ｂにおける、駆動用ＩＣ３６ｘとドット状電極１９との関係及び駆動用ＩＣ３６ｙと対向電極１７との関係も同様である。
【００３９】
本実施形態において、液晶層２１に光を供給する光供給手段は、照明装置７、反射膜１３及び反射膜１３に設けた開口１５等の組み合わせによって実現される。また、液晶層２１に印加される電界をマトリクス状に配列された複数の表示ドット２２ごとに制御する液晶制御手段は、ドット状電極１９、対向電極１７、駆動用ＩＣ３６ｘ、駆動用ＩＣ３６ｙ等の組み合わせによって実現される。
【００４０】
以下、上記構成より成る液晶装置１の動作について説明する。まず、図３において、外部光を用いて第１面Ｄ１に反射方式で像を表示する場合を考える。この場合には、太陽光、室内光等といった外部光Ｒ１が導光体９を通して第１表示系１１ａの内部へ取り込まれ、反射膜１３で反射した光が液晶層２１へ供給される。そして、走査信号及びデータ信号で選択された表示ドット２２内の液晶分子の配向がそれらの信号電圧を受けて変化することにより、当該部分を通過する光が変調され、この変調光が第１偏光板６ａを通過するか、あるいは通過しないかによって第１面Ｄ１に像が表示され、観察者はこの像を認識できる。
【００４１】
次に、照明光を用いて第１面Ｄ１に反射方式で像を表示する場合を考える。この場合には、フロントライトとして機能する照明装置７の導光体９からの面状の光Ｒ２が第１表示系１１ａの内部へ取り込まれ、反射膜１３で反射した光が液晶層２１へ供給され、この光を用い第１面Ｄ１に表示が行われる。なお、照明装置７が設けられている面である第１面Ｄ１を表示面とする場合には、反射膜１３に形成した開口１５を用いた透過方式の表示は行われない。
【００４２】
次に、外部光を用いて第２面Ｄ２に反射方式で像を表示する場合を考える。この場合には、太陽光、室内光等といった外部光Ｒ３が第２表示系１１ｂの内部へ取り込まれ、反射膜１３で反射した光が液晶層２１へ供給され、この光を用いて第２面Ｄ２に表示が行われる。
【００４３】
次に、照明光を用いて第２面Ｄ２に透過方式で像を表示する場合を考える。この場合には、バックライトとして機能する照明装置７の導光体９からの面状の光Ｒ４が、第１表示系１１ａ内の反射膜１３の開口１５を透過し、共通基板２を透過し、さらに第２表示系１１ｂの開口１５を透過して第２表示系１１ｂ内の液晶層２１へ供給され、この光を用いて第２面Ｄ２に表示が行われる。このような機能を達成するため、第１表示系１１ａ内の反射膜１３の開口１５を透過する光の光路と、第２表示系１１ｂの開口１５を透過する光の光路とは、少なくとも部分的に、望ましくはそれらの全部が重なることが必要である。
【００４４】
以上のように、本実施形態に係る液晶装置１によれば、異なる２つの面である第１面Ｄ１及び第２面Ｄ２の両面に表示を行うことができる。また、液晶装置１では、第１表示系１１ａの基板２と第２表示系１１ｂの基板２とが共通であるので、第１表示系１１ａと第２表示系１１ｂとがそれぞれ独自に基板を有する構造に比べて、液晶装置１の全体の厚さを非常に薄くできる。また、１つの照明装置７を用いるだけなので、第１表示系１１ａ及び第２表示系１１ｂの個々に照明装置を設ける場合に比べて、液晶装置１の全体の厚さを薄くできる。
【００４５】
（変形例）
上記実施形態では、図３に示すように、反射膜１３として開口１５を備えた半透過反射膜を用いた。これに代えて、反射膜１３として、透過機能を持たない全反射膜を用いることができる。この場合には、第１面Ｄ１を用いた表示及び第２面Ｄ２を用いた表示の両方とも、反射方式によって表示が行われる。この場合でも、反射膜１３を形成する基板２を共通基板とすることにより、液晶装置の薄型化を達成できる。
【００４６】
次に、図３に示した実施形態では、ＴＦＤ素子をアクティブ素子とするアクティブマトリクス方式の液晶装置であって、同じ構造の液晶装置によって第１表示系１１ａ及び第２表示系１１ｂを構成した。しかしながら、それらの表示系は、互いにに異なる構造の液晶装置によって構成することもできる。
【００４７】
例えば、（１）それらを異なる構造のアクティブマトリクス方式の液晶表示系によって構成できる。また、（２）一方をアクティブマトリクス方式の液晶表示系によって構成し、他方をスイッチング素子を用いない単純マトリクス方式の液晶表示系によって構成することもできる。また、（３）一方を液晶表示系によって構成し、他方を液晶以外の電気光学物質を用いた表示系、例えば有機ＥＬやプラズマ放電を用いた表示系によって構成することもできる。
【００４８】
次に、図３に示した実施形態では、第１面Ｄ１と第２面Ｄ２とが互いに平行に配置された。これに代えて、第１面Ｄ１と第２面Ｄ２との間に適宜の角度を持たせることもできる。このような構成は、例えば、共通基板２の第１面Ｄ１に対応する面と第２面Ｄ２に対応する面とを平行にするのではなく、それらの面の間に適宜の角度をつけることによって実現できる。
【００４９】
（電子機器の実施形態）
図６（ａ）及び（ｂ）は、本発明に係る電子機器の一実施形態である携帯電話機を示している。ここに示す携帯電話機４１は、互いに折り畳み可能な一対の筐体４２ａ及び４２ｂを有し、図６（ａ）はそれらの筐体を折り畳んだ状態、すなわち非使用状態を示し、図６（ｂ）はそれらの筐体を開いた状態、すなわち使用状態を示している。
【００５０】
図６（ｂ）に示すように、一方の筐体４２ａの内部には表示装置として電気光学装置５１が格納されている。そして、この筐体４２ａの外側表面には図６（ａ）に示すように第２表示用開口４３ｂが設けられ、一方、筐体４２ａの内側表面には図６（ｂ）に示すように第１表示用開口４３ａが設けられている。液晶装置５１は、例えば図１に示した構成の液晶装置１を用いて構成でき、この場合には、図６（ｂ）に示すように第１面Ｄ１が第１表示用開口４３ａに対応して位置し、さらに、図６（ａ）に示すように第２面Ｄ２が第２表示用開口４３ｂに対応して位置する。
【００５１】
液晶装置５１が格納された筐体４２ａには、スピーカ４６を備えた受話口４７及びアンテナ４４が設けられる。もう一方の筐体４２ｂには、複数の操作キー４８及びマイクロホン４９を備えた送話口５２が設けられる。また、筐体４２ａ又は筐体４２ｂの内部の適所には、電気光学装置５１及び携帯電話機４１の動作を制御する制御回路が収容される。
【００５２】
本実施形態に係る携帯電話機４１は以上のように構成されているので、筐体４２ａ及び４２ｂを図６（ａ）に示すように折り畳んだとき、電気光学装置５１の第２面Ｄ２に表示される文字、数字、図形等といった像を第２表示用開口４３ｂを通して外部から観察できる。この場合には、携帯電話機４１の非使用時に必要となる情報を第２面Ｄ２に表示することが望ましい。
【００５３】
また、筐体４２ａ及び４２ｂを図６（ｂ）に示すように開いたときには、電気光学装置５１の第１面Ｄ１に表示される文字、数字、図形等といった像を第１表示用開口４３ａを通して外部から観察できる。この場合には、携帯電話機４１の使用時に必要となる情報を第１面Ｄ１に表示することが望ましい。
【００５４】
以上のように、筐体４２ａの表裏両側の面、すなわち互いに異なる複数の面に像を表示する場合、図１に示した構造の液晶装置１、すなわち共通基板２を用いて構成される液晶装置を用いれば、携帯電話機４１の全体形状を非常に薄型に形成できる。
【００５５】
（変形例）
電子機器は、図６に示した外観形状及び構造の携帯電話機に限られず、他の外観及び構造の携帯電話機とすることができる。また、携帯電話機以外の機器、例えば、携帯情報端末機や、パーソナルコンピュータや、腕時計型電子機器や、ＰＤＡや、液晶テレビや、ビューファインダ型又はモニタ直視型のビデオテープレコーダや、カーナビゲーション装置や、ページャや、電子手帳や、電卓や、ワードプロセッサや、ワークステーションや、テレビ電話機や、ＰＯＳ端末器等に対しても本発明を適用できる。
【００５６】
（その他の実施形態）
以上、好ましい実施形態を挙げて本発明を説明したが、本発明はその実施形態に限定されるものでなく、請求の範囲に記載した発明の範囲内で種々に改変できる。
【図面の簡単な説明】
【図１】本発明に係る電気光学装置の一実施形態である液晶装置及び本発明に係る基板の一実施形態を示す斜視図である。
【図２】図１の液晶装置の全体的な断面構造を示す断面図である。
【図３】図２における矢印Ａで示す部分を詳細に示す図である。
【図４】図３における表示ドット部分を平面的に示す図である。
【図５】スイッチング素子の一例を示す斜視図である。
【図６】本発明に係る電子機器の一実施形態である携帯電話機を示す斜視図である。
【符号の説明】
１：液晶装置（電気光学装置）
２：共通基板
４ａ，４ｂ：対向基板
５ａ，５ｂ：基板の張出し部
６：偏光板
７：照明装置
８：光源
９：導光体
１１ａ：第１表示系（第１表示手段）
１１ｂ：第２表示系（第２表示手段）
１３：反射膜
１５：開口
１７：対向電極
１９：ドット状電極
２１：液晶
２２：表示ドット
２３：ライン配線
２４：スイッチング素子
３６：駆動用ＩＣ
４１：携帯電話機（電子機器）
５１：電気光学装置
Ｄ１：第１面
Ｄ２：第２面
Ｒ１〜Ｒ４：光
Ｖ：有効表示領域
【図１】
2004109814.tif 000003
【図２】
2004109814.tif 000004
【図３】
2004109814.tif 000005
【図４】
2004109814.tif 000006
【図５】
2004109814.tif 000007
【図６】
2004109814.tif 000008